(57)【要約】【課題】  巾木自体の取付位置が若干上下にずれても常に隙間塞ぎ板が足場板と線接触していて隙間を塞いでおり、隙間塞ぎ板が若干変形しても隙間の発生を少なくできる巾木付きの足場装置の改良に関する。【解決手段】  左右一対の建材６と、各建材間に架設した横架材８とで建枠を構成し、この建枠を前後一対に起立して各建枠の横架材間に足場板１を架設し、この足場板１の両側にコ字状の枠体５４で構成される手摺５３を取付け、足場板１の両側に垂直に起立する巾木本体２と、斜め下方向に向けて傾斜して巾木本体２に固定若しくは回転自在に結合される隙間塞ぎ板３とからなる巾木４を配設する足場装置において、枠体５４の両端にロック機構５５を設け、ロック機構５５を横架材８に引掛ける引掛部５８と、建材６に固定する抱持部５９と、一対の縦方向のソケット５６とで構成し、ロック機構５５を横架材８と建材６に固定した状態でソケット５６に枠体５４を挿入する。【選択図】  図７
2010196468.tif 000002
【特許請求の範囲】
【請求項１】
左右一対の建材と、各建材間に架設した横架材とで建枠を構成し、この建枠を前後一対に起立して各建枠の横架材間に足場板を架設し、この足場板の両側に全体がコ字状の枠体で構成される手摺を着脱自在に取付け、更に、足場板の両側に垂直に起立する巾木本体と、巾木本体に横方向に向けて結合した隙間塞ぎ板とからなる巾木を配設し、上記巾木本体を上記手摺りに固定し、上記隙間防ぎ板を斜め下方に向けて傾斜させ、当該隙間塞ぎ板の基端を巾木本体の側面に固定または回転自在に結合すると共に先端を足場板上面に当接させている足場装置において、
上記枠体の両端に上記横架材に引掛けて固定するロック機構を設け、このロック機構を上記横架材に引掛ける引掛部と、上記建材に固定する抱持部と、一対の縦方向のソケットとで構成し、上記ロック機構を上記横架材と上記建材に固定した状態で上記ソケットに上記枠体を挿入することを特徴とする足場装置。
【発明の詳細な説明】
【技術分野】
【０００１】
本発明は、建築現場、土木工事場で使用され、足場板の両側に形成されている隙間を塞ぐ巾木及び手摺を備えた枠組足場等の足場装置の改良に関する。
【背景技術】
【０００２】
一般に建築現場、土木工事現場で使用される枠組足場等の足場装置は、建枠と横架材とからなる枠体を多数平行に起立し、この枠体間に足場板を架設している。
【０００３】
この場合建枠と足場板の両側には隙間が長手方向に形成され、この隙間から工具等の物体が落下するおそれがある。
【０００４】
そこで、上記隙間を塞ぐため、足場板の両側に長手方向に沿っていわゆるつま先板たる巾木を配接した足場装置が例えば特開平８−１００５２１号に開示され、実際に使用もされている。
【０００５】
上記巾木は、垂直に起立する巾木本体と巾木本体の下部に水平方向に向けて結合した隙間塞ぎ板とで構成され、巾木本体は、クランプ、ブラケット、継手等を介して建枠に結合し、隙間塞ぎ板は足場板の上面に重ねて配置して使用されている。
【先行技術文献】
【特許文献】
【０００６】
【特許文献１】特開平８−１００５２１号  公報
【発明の概要】
【発明が解決しようとする課題】
【０００７】
上記従来の足場装置において、巾木が普通に使用されている場合には機能上特に欠陥は無いが、次のような不具合の改善が望まれている。
【０００８】
第１に、従来の足場装置における巾木は、巾木本体を建枠側にクランプ等を介して結合する際に、隙間塞ぎ板が足場板の上面にぴったりと当接する状態に位置合せするのが困難である。
【０００９】
従って、隙間塞ぎ板が多少上下にずれると隙間塞ぎ板と足場板との間に隙間が発生したり、隙間塞ぎ板が斜めになったりするおそれがある。
【００１０】
第２に、従来の足場装置における巾木を長年使用している場合、何らかの原因で隙間塞ぎ板が波うったり、ゆがんで変形したりする場合があり、この変形個所に隙間が発生してしまうおそれがある。
【００１１】
そこで、本発明の目的は、巾木自体の取付位置が若干上下にずれても常に隙間塞ぎ板が足場板と線接触していて隙間を塞いでおり、しかも隙間塞ぎ板が若干変形しても隙間の発生を少なくできる巾木付きの足場装置を提供することである。
【課題を解決するための手段】
【００１２】
上記課題を解決するための手段は、左右一対の建材と、各建材間に架設した横架材とで建枠を構成し、この建枠を前後一対に起立して各建枠の横架材間に足場板を架設し、この足場板の両側に全体がコ字状の枠体で構成される手摺を着脱自在に取付け、更に、足場板の両側に垂直に起立する巾木本体と、巾木本体に横方向に向けて結合した隙間塞ぎ板とからなる巾木を配設し、上記巾木本体を上記手摺りに固定し、上記隙間防ぎ板を斜め下方に向けて傾斜させ、当該隙間塞ぎ板の基端を巾木本体の側面に固定または回転自在に結合すると共に先端を足場板上面に当接させている足場装置において、上記枠体の両端に上記横架材に引掛けて固定するロック機構を設け、このロック機構を上記横架材に引掛ける引掛部と、上記建材に固定する抱持部と、一対の縦方向のソケットとで構成し、上記ロック機構を上記横架材と上記建材に固定した状態で上記ソケットに上記枠体を挿入することである。
【発明の効果】
【００１３】
本発明によれば、巾木を構成する隙間塞ぎ板が斜め下方に傾斜し、その先端が足場板の上に当接しているので、足場板の両側に形成されている隙間を長手方向に沿って塞ぐことが可能となる。
【００１４】
また、長年使用することにより、隙間塞ぎ板がゆがんだり波うったりしたとしても、隙間塞ぎ板の大部分が足場板に接触でき、隙間の発生を出来るだけ少なくすることができる。
【００１５】
更に、隙間塞ぎ板が巾木本体に回転自在に結合する場合には、巾木の設置位置が若干上下方向にずれていたとしても、隙間塞ぎ板がその分上下方向に回動し、常に足場板に当接することが可能となる。
【００１６】
また、ロック機構を備えることにより、ロック機構を横架材と建材に固定した状態で枠体をソケットに挿通することが可能となる。
【図面の簡単な説明】
【００１７】
【図１】本発明の一実施の形態に係る足場装置における巾木の第１パターンの略示正図面である。
【図２】本発明の一実施の形態に係る足場装置における巾木の第２パターンの略示正図面である。
【図３】本発明の一実施の形態に係る足場装置における巾木の第１パターンを示す斜視図である。
【図４】図３の巾木を枠組足場に取付けた状態を示す部分拡大参考斜視図である。
【図５】（Ａ）本発明の一実施の形態に係る足場装置における巾木の変形例を示す正面図である。（Ｂ）本発明の一実施の形態に係る足場装置における巾木の変形例を拡大して示す断面図である。
【図６】本発明の一実施の形態に係る足場装置を示す側面図である。
【図７】本発明の一実施の形態に係る足場装置におけるロック機構を拡大して示す側面図である。
【発明を実施するための形態】
【００１８】
以下本発明の実施の形態を図面に基づいて説明する。
【００１９】
本発明の一実施の形態に係る足場装置における巾木は、図１、図２に示すように二つの基本パターンがあり、図１、図２のパターンは巾木を構成する隙間塞ぎ板を斜め下方に傾斜させると共にその先端を足場板上に当接させるものである。
【００２０】
そして、第１のパターンは、図１に示すように、隙間塞ぎ板の基端を回転自在に巾木本体に結合するもので、第２のパターンは、図２に示すように、隙間塞ぎ板の基端を巾木本体に固定するものである。
【００２１】
以下更に詳しく述べる。
【００２２】
図１、図２の第１、第２のパターンに係る巾木は、足場板の両側に配設されて、垂直に起立する巾木本体２と、巾木本体２に横方向に向けて結合した隙間塞ぎ板３とからなり、足場板の両側の隙間を塞いでいるものである。
【００２３】
そして、隙間塞ぎ板３を斜め下方に向けて傾斜させ、当該隙間塞ぎ板３の基端を巾木本体２の側面に固定又は回転自在に結合すると共に、先端を足場板の上面に当接させている。
【００２４】
図１に示すように、隙間塞ぎ板３は、例えばヒンジ５を介して回転自在に結合されている。又、図２に示すように隙間塞ぎ板３は巾木本体にピン６を介して又は溶接等で固定されている。
【００２５】
図３は、図１の第１パターンに係る巾木４を示す斜視図であり、図４は、上記図３に示す巾木を枠組足場に取付けた状態を示す足場装置の参考図である。
【００２６】
巾木４は、巾木本体２と、巾木本体２の側面にヒンジ５を介して回転自在に結合した隙間塞ぎ板３とからなり、隙間塞ぎ板３の先端は、足場板１の上面と線接触で当接し、巾木本体２は、枠組足場７の建材６側に結合されている。
【００２７】
枠組足場７は、建材６と横架材８とを有し、横架材８上に建材６に嵌合するブラケット９を取付け、このブラケット９を介して巾木４を足場板２の側面側に配置している。
【００２８】
ブラケット９は、断面コ字状のブラケット本体１０と、ブラケット本体１０を横方向に貫通する楔１１とブラケット本体１０上に起立する二つのピン１２、１２とで構成している。
【００２９】
巾木本体２の両側には、上下方向に貫通するピン孔１３を形成し、このピン孔１３を上記ピン１２に差し込むことによって巾木本体２がブラケット９に装着される。
【００３０】
枠組足場７と足場板１との間には、図１に示すように、長手方向に沿って隙間Ｓが足場板１の巾寸法に応じてどうしても発生してしまう場合がある。
【００３１】
しかるに、上記のように枠組足場７を介して巾木４を足場板の両サイドに設けることによってこの隙間Ｓが巾木４によって塞がれ、足場板１上の工具等の物体が下方に落下することが防止される。
【００３２】
この場合、隙間塞ぎ板３は、斜め下方に傾斜しているため、ブラケット９の取付位置が若干上下方向にずれたり、巾木本体２が若干上下にずれて結合されていたりしても、そのずれた分ヒンジ５を介して隙間塞ぎ板３が回転方向、いいかえれば上下方向に揺動し、常にその先端を足場板１上に接線接触させ、隙間塞ぎ板３と足場板１との間には隙間の発生が防止される。
【００３３】
更に、長期間の使用中に隙間塞ぎ板３がゆがんだり、波うったりして変形しても、この隙間塞ぎ板３が上下方向に揺動することにより、どこかの部位が足場板１に接触していて隙間の発生をできるだけ少なくすることができる。
【００３４】
図５（Ａ）（Ｂ）は、本発明の足場装置における巾木の他の変形例を示し、図１のヒンジ５に代えて他の回転自在な結合機構１６を利用したものである。
【００３５】
この結合機構１６は、中空な巾木本体２の側面側に形成したガイド溝１７と、隙間塞ぎ板３の基端に設けられてこのガイド溝１７内に回転自在に嵌合する引掛部１８とで構成されている。
【００３６】
ガイド溝１７は、ラッパ型の開口部１９と、この開口部１９に連通して上壁と下壁に湾曲面を形成した係止溝２０とを有している。
【００３７】
引掛部１８は、フック上の引掛片２１とこの引掛片２１の上下に形成した湾曲面とを備えている。
【００３８】
引掛部１８は、開口部１９から順次回転させながら係止溝２０内に進入させて引掛片２１をガイド溝１７内の湾曲したリブ２２に回転自在に引掛けるようにしている。従って、引掛片２１がリブ２２を支点にして、回転できるようになっている。
【００３９】
図６、図７は、本発明の一実施の形態に係る足場装置を示し、ロック機構を用いて手摺を取付けた状態を示す。
【００４０】
手摺５３は、全体がコ字状の枠体５４で構成され、枠体５４の両端には横架材８に引掛けて固定するロック機構５５が設けられてなる。
【００４１】
そして、このロック機構５５を上記横架材８に引掛ける引掛部５８と、上記建材６に固定する抱持部５９と、一対の縦方向のソケット５６とで構成し、上記ロック機構５５を上記横架材８と上記建材６に固定した状態で上記ソケット５６に上記枠体５６を挿入する。
【００４２】
上記構成を備えることにより、ロック機構５５を横架材８と建材６に固定した状態で枠体５４をソケット４６に挿入することが可能となる。
【００４３】
尚、本実施の形態において、枠体５４にはピン５７等を介して巾木４が固定されてなり、手摺５３と巾木４とを一緒に組付けることが可能となる。
【符号の説明】
【００４４】
１  足場板
２  巾木本体
３  隙間塞ぎ板
４  巾木
５  ヒンジ
６  ピン
６  建材
８  横架材
５３  手摺
５４  枠体
５５  ロック機構
５６  ソケット
５８  引掛部
５９  抱持部
Ｓ  隙間
【図１】
2010196468.tif 000003
【図２】
2010196468.tif 000004
【図３】
2010196468.tif 000005
【図４】
2010196468.tif 000006
【図５】
2010196468.tif 000007
【図６】
2010196468.tif 000008
【図７】
2010196468.tif 000009